(57)【特許請求の範囲】
【請求項１】
遊技盤が収容される可動枠の前側に前扉がヒンジで開閉可能に取り付けられ、
前扉の裏面にパネル構造体がヒンジで開閉可能に取り付けられたパチンコ遊技機の遊技機枠において、
前記可動枠が前側に開口した箱形に形成された盤収容部と、
前記盤収容部に形成され、盤収容部に収容される遊技盤の左側部を前方に押した状態とする盤後側押出部とを備え、
前記パネル構造体が前記遊技盤に向かって突出し、前記パネル構造体が前扉の裏面に開閉不能に支持され、前記前扉が可動枠に対して閉じられた状態において前記盤後側押出部に押される遊技盤の左上隅部の前面と対向する盤押圧突起を備え、
前記盤押圧突起は、反りの発生により左上隅部が前側に突出した前記遊技盤の左上隅部の前面と接触し、当該左上隅部を前側から後側に押し動かすことを特徴とするパチンコ遊技機の遊技機枠。
【請求項２】
盤押圧突起がパネル構造体にヒンジを設置するためのヒンジブラケットに設けられたことを特徴とする請求項１記載のパチンコ遊技機の遊技機枠。
【発明の詳細な説明】
【技術分野】
【０００１】
本発明は、遊技機枠に装着された遊技盤に反りが発生している場合、その反りが解消できるパチンコ遊技機の遊技機枠に関する。
【背景技術】
【０００２】
パチンコ遊技機の遊技盤を遊技機枠に取り付けるには、次の構造が知られている。それは、遊技盤の裏面が遊技機枠の方に向けられ、遊技盤の左側部が遊技機枠の前側から盤収容部に挿入されて遊技機枠の盤後側押出部と盤前側受止部との間に挿入された後、遊技盤の右側部が作業者によって後側に押された状態において、作業者が盤ロック機構を操作することによって、盤ロック機構が遊技盤の右側部を盤収容部に固定する。一方、パチンコ遊技機では、液晶表示器のような画像表示器によって始動入賞に伴う当たり外れの遊技演出を行うものが周知である。そして、画像表示器で表示される画像を見やすくするために、画像表示器が大形化する傾向にあるが、画像表示器が大形化するに伴い、遊技盤の前面にガイドレールで囲まれる内側の遊技領域には、遊技機枠の前側から画像表示器の表示画面に表示された画像を見せるための貫通孔が大きく形成され、遊技領域におけるパチンコ球のような球の飛び交う領域が狭くなる。そこで、パチンコ球のような球の飛び交う領域を広くするために、画像表示器の大形化に伴い、遊技盤も大形化する傾向にある。つまり、画像表示器が大形になるのに伴い、遊技機枠の前側から画像表示器の表示画面に表示された画像を見せるための貫通孔や遊技盤が大形となり、遊技盤に反りが発生しやすい。そして、反りの生じた遊技盤が遊技機枠に取り付けられた場合、遊技盤の球発射通路の球出口の周囲が前側に突出し、遊技機枠の前面ガラスと呼ばれる透視性パネルと遊技盤の前面との間の寸法が規定寸法よりも小さくなるという欠点があった。この欠点を解消するために、遊技機枠の盤前側受止部の右側への突出寸法を大きくすることによって、反りの生じた遊技盤が遊技機枠に取り付けられた場合、盤前側受止部で遊技盤の球発射通路の球出口の周囲における前面を前側に突出しないように矯正することが考えられる。しかしながら、盤前側受止部の右側への突出寸法が大きくなればなるほど、遊技盤の左側部を遊技機枠の前側から盤前側受止部と盤前側受止部との間に挿入する作業がやりづらくなるので、盤前側受止部の右側への突出寸法を大きくすることは、にわかに採用しがたいものである。
【特許文献１】特開２００５−４１５号公報
【発明の開示】
【発明が解決しようとする課題】
【０００３】
発明が解決しようとする問題点は、遊技盤の球発射通路の球出口の周囲における前側への反りを矯正するために、盤前側受止部の右側への突出寸法を大きくすることは、にわかに採用しがたいという点である。
【課題を解決するための手段】
【０００４】
本発明に係るパチンコ遊技機の遊技機枠は、遊技盤が収容される可動枠の前側に前扉がヒンジで開閉可能に取り付けられ、前扉の裏面にパネル構造体がヒンジで開閉可能に取り付けられたパチンコ遊技機の遊技機枠において、可動枠が前側に開口した箱形に形成された盤収容部と、盤収容部に形成され、盤収容部に収容される遊技盤の左側部を前方に押した状態とする盤後側押出部とを備え、パネル構造体が遊技盤に向かって突出し、パネル構造体が前扉の裏面に開閉不能に支持され、前扉が可動枠に対して閉じられた状態において盤後側押出部に押される遊技盤の左上隅部の前面と対向する盤押圧突起を備え、盤押圧突起は、反りの発生により左上隅部が前側に突出した遊技盤の左上隅部の前面と接触し、当該左上隅部を前側から後側に押し動かすことを最も主要な特徴とする。盤押圧突起がパネル構造体にヒンジを設置するためのヒンジブラケットに設けられてもよい。
【発明の効果】
【０００５】
本発明に係るパチンコ遊技機の遊技機枠は、パネル構造体が前扉の裏面に開閉不能に支持され、前扉が可動枠に対して閉じられた場合、遊技機枠に装着された遊技盤に反りが発生していなければ、盤押圧突起が遊技盤の左上隅部を前側から後側に押し動かすことなく、遊技機枠に装着された遊技盤の球発射通路の球出口の周囲における前面に反りが発生して、遊技盤の球発射通路の球出口の周囲における前面が前側に突出している場合、盤押圧突起が遊技盤の球発射通路の球出口の周囲における前面を前側から後側に押し動かすので、遊技盤に反りが発生していても、遊技盤に反りが発生していない場合に類似するように、遊技盤の前面を覆う透視性パネルと遊技盤の球発射通路の球出口の周囲における前面との間の寸法が規定寸法に確保されるという利点がある。盤押圧突起がヒンジブラケットに設けられていれば、盤押圧突起が遊技盤の球発射通路の球出口の周囲における前面を前側から後側に押す場合の剛性が強くなるので、盤押圧突起が後側から前側に変形することがなく、盤押圧突起が遊技盤の球発射通路の球出口の周囲における前面を前側から後側に適切に押すことができるという利点がある。
【発明を実施するための最良の形態】
【０００６】
図１乃至図４は、発明を実施するための最良の形態である。図１は、遊技盤４１の装着された遊技機枠１の左上部を左右方向に切断して上側から見た構造を示す。図２は、遊技機枠１および遊技盤４１を分解して示す。図３は遊技機枠１を示す。図４は、パネル構造体２６を示す。本明細書において、「前」、「表」、「後」、「裏」、「左」、「右」、「上」、「下」の方向は、図２の状態に遊技機枠１および遊技盤４１を置いて矢印Ａで示す前側から見た場合に特定される方向である。「前」と「表」とは同じ方向である。「後」と「裏」とは同じ方向である。
【０００７】
図２を参照し、パチンコ遊技機における遊技機枠１の構造について説明する。遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれる。可動枠３は、遊技盤や球払出機構および、制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能であって、盤収容部７、中央開口部８、盤後側押出部９、盤前側受止部１０、盤ロック操作体１１、盤棚１２、球発射機構１３、球発射レール１４、戻り球取入口１５、前横樋１６、機外排出樋１７、施錠装置１８、ロック機構１９；２０；２１およびロック解除操作体２２が設けられる。盤収容部７は、遊技盤４１を可動枠３の前側から格納させるように、前側に開口した方形な箱形である。中央開口部８は、盤収容部７の背壁に、前後方向への貫通孔として形成される。
【０００８】
盤後側押出部９は、遊技盤４１を前側に押す板ばねのような弾性体である。盤前側受止部１０は、盤後側押出部９で前側に押された遊技盤４１を受け止める突起である。盤後側押出部９が後側で盤前側受止部１０が前側となるように、盤後側押出部９および盤前側受止部１０が盤収容部７の左側部に設けられる。盤ロック操作体１１は、盤収容部７の背壁から前側に突出し、盤収容部７の背壁と平行な方向に回転可能に、盤収容部７の右側部に設けられる。盤棚１２は、遊技盤４１を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。機外排出樋１７は、盤棚１２から下側に延設された前壁の裏面に設けられる。施錠装置１８、ロック機構１９；２０；２１、ロック解除操作体２２は、可動枠３の右側部に設けられる。
【０００９】
図３にも示すように、前扉４および皿構造体５は、個別に、左側に位置するヒンジ２４を中心とし、可動枠３の前側で前側に開かれかつ後側に閉じられるように、片開き可能である。前扉４は、パネル枠とも呼ばれ、前後方向に貫通する窓２５を囲む額縁形状である。前扉４の裏面には、パネル構造体２６、ロック部材２７が設けられる。パネル構造体２６は、窓２５を覆う格好で、前扉４に開閉可能に設けられる。パネル構造体２６は、左側に位置するヒンジ２８を中心とし、図３に示すように前扉４の裏側で裏側に開かれかつ図２に示すように前側に閉じられるように、片開き可能である。パネル構造体２６では、フレーム２９が透視性パネル３０を支持する。透視性パネル３０は、前面ガラスと後面ガラスとから構成される。フレーム２９には、ロック受止部３１が設けられる。パネル構造体２６が裏側から前側に閉じられ、作業者がロック部材２７を操作してロック受止部３１に係合すると、パネル構造体２６が前扉４にロック部材２７で開閉不能に支持され、透視性パネル３０が窓２５を裏側から塞ぐ。
【００１０】
図４にも示すように、パネル構造体２６には、盤押圧突起３２が設けられる。盤押圧突起３２は、フレーム２９から左側に突出したヒンジブラケット３３のうちで、上側のヒンジブラケット３３から後側に突出する。ヒンジブラケット３３には、パネル側ヒンジ３４が設けられる。パネル側ヒンジ３４は、ヒンジブラケット３３から下方に突出した丸棒により構成される。パネル側ヒンジ３４は、図２および図３に示すヒンジ２８におけるパネル構造体２６に設けられたヒンジ要素を構成する。よって、ヒンジ２８における前扉４に設けられたヒンジ要素は、パネル側ヒンジ３４を回転可能に嵌め込む孔として構成される。つまり、ヒンジ２８は、パネル側ヒンジ３４と前扉４に設けられたヒンジ要素とにより構成される。
【００１１】
図２に戻り、皿構造体５は、球受皿部３６および球発射操作機構３７を、皿構造体５の前面から前側に突出した形態に備える。球受皿部３６は、遊技に使用する球を受ける上側に開口した上側から下側に窪む容器である。球発射操作機構３７は、遊技者が球を発射するために操作するものである。皿構造体５の裏面には、球取入口３８および球供給口３９が設けられる。皿構造体５が閉じられた場合、ロック解除操作体２２、球発射機構１３、球発射レール１４、戻り球取入口１５、前横樋１６は、皿構造体５で覆い隠される。
【００１２】
図２を参照し、遊技盤４１の構造について説明する。遊技盤４１は、遊技基盤４２、内ガイドレール４３、外ガイドレール４４、球発射通路４５、遊技領域４６、入賞部品４７、遊技釘４８、アウト口４９、戻り球防止弁５０、球反発体５１、取付部５２、ロック挿入孔５３、証紙台５４を備える。球発射通路４５は、内ガイドレール４３の左側部と外ガイドレール４４の左側部との間に位置し、前側開放縦溝形状に形成される。遊技領域４６は、内ガイドレール４３と外ガイドレール４４とで囲まれた遊技基盤４２の前面により形成される。入賞部品４７、遊技釘４８、アウト口４９、戻り球防止弁５０、球反発体５１は、遊技領域４６において、遊技基盤４２に取り付けられる。取付部５２は、遊技盤４１を遊技機枠１に固定するために、遊技基盤４２の右側の上下部に設けられる。ロック挿入孔５３は、取付部５２に設けられる。証紙台５４は、遊技基盤４２の右側の下部に前後方向に開閉可能に設けられる。証紙台５４が、遊技基盤４２との連結部である図外のヒンジを中心として前方に開かれることによって、下部の取付部５２が、遊技盤４１の前側から見える格好となる。そして、証紙台５４が上記ヒンジを中心として後方に閉じられて遊技基盤４２に受け止められると、下部の取付部５２が証紙台５４で覆われて遊技基盤４２の前側から見えなくなる。閉じられた証紙台５４の前面には、遊技盤４１の検査に合格して販売の認可を受けたことを示す図外の証紙が、貼り付けられる。
【００１３】
可動枠３が閉じられて固定枠２にロック機構１９で開閉不能に支持され、前扉４および皿構造体５が閉じられて可動枠３にロック機構２０；２１で開閉不能に支持された状態において、遊技店の店員が図外のキープレート（鍵）を遊技機枠１の前側から施錠装置１８の鍵穴に挿入し、当該キープレートを例えば右側に９０度回転操作すると、固定枠２と可動枠３とのロック機構１９による支持形態が解除される。この支持形態の解除後に、店員が可動枠３を前側に引くことによって、可動枠３はヒンジ６を中心として前側に片開きされる。また、上記施錠装置１８の鍵穴に挿入されたキープレートが例えば左側に９０度回転操作されると、可動枠３と前扉４とのロック機構２０による支持形態が解除される。この支持形態の解除後に、店員が前扉４を前側に引くことによって、前扉４はヒンジ２４を中心として前側に片開きされる。このように、前扉４が前側に開かれた状態において、店員がロック解除操作体２２を操作すると、可動枠３と皿構造体５とのロック機構２１による支持形態が解除される。この支持形態の解除後に、店員が皿構造体５を前側に引くことによって、皿構造体５はヒンジ２４を中心として前側に片開きされる。
【００１４】
図２において、遊技盤４１を遊技機枠１に装着する仕方について説明する。可動枠３が閉じられて固定枠２にロック機構１９で開閉不能に支持され、パネル構造体２６が前扉４にロック部材２７で開閉不能に支持され、少なくとも、前扉４が可動枠３の前側に片開きされた状態において、遊技盤４１の裏面が遊技機枠１の方に向けられ、遊技盤４１の遊技領域４６が前側に向けられ、遊技盤４１の左側部が遊技機枠１の前側から盤収容部７に挿入され、遊技盤４１の下部が盤棚１２の上に載せられ、遊技盤４１の左側部が盤後側押出部９と盤前側受止部１０との間に挿入されて盤後側押出部９と盤前側受止部１０とで前後方向から挟まれる。その後、遊技盤４１の右側部が作業者によって後側に押され、盤ロック操作体１１がロック挿入孔５３に後側から挿入されて前側に突出した状態において、作業者が盤ロック操作体１１を例えば右方向に９０度回転操作すると、盤ロック操作体１１がロック挿入孔５３の周りにおける取付部５２と係合し、遊技盤４１が可動枠３に取り付けられる。
【００１５】
遊技盤４１が可動枠３に取り付けられ、前扉４および皿構造体５が閉じられて可動枠３にロック機構２０；２１で開閉不能に支持され、遊技者が球受皿部３６に球を入れて球発射操作機構３７を操作すると、球発射機構１３が球発射操作機構３７から出力された操作量に応じた発射力で例えば１分間に１から１００発未満までの所定数の間隔で駆動し、球発射機構１３が球受皿部３６から球供給口３９を経由して球発射レール１４に供給された球を１個ずつ遊技盤４１の球発射通路４５に向けて発射する。この球発射通路４５に発射された球が、球発射通路４５の球出口から戻り球防止弁５０を押し開けて遊技領域４６に到達した後に遊技領域４６を流下する過程において、入賞部品４７に入賞すると、入賞部品４７に入賞した球が、遊技盤４１の裏側に排出される一方、球の入賞した入賞部品４７の種類に対応する賞球としての球が、図外の球払出機構から球受皿部３６に払い出される。入賞部品４７に入賞しないで遊技領域４６の最下部に流れた球は、アウト口４９に取り込まれて遊技盤４１の裏側に排出される。
【００１６】
最良の形態では、図２において、遊技盤４１が可動枠３に取り付けられた後、前扉４および皿構造体５が閉じられて可動枠３にロック機構２０；２１で開閉不能に支持される過程において、盤押圧突起３２が遊技盤４１における球発射通路４５の球出口の外側周囲に位置する左上隅部５５の前面と対向する。そして、遊技盤４１が前面の上下部から中央部に行くに従って前側から後側に突出する反りを発生して、遊技盤４１の左上隅部５５が、図１に仮想線で示すように前側に突出している場合、盤押圧突起３２が左上隅部５５を前側から後側に押し動かす。これによって、遊技機枠１における遊技盤４１の前面を覆う透視性パネル３０と遊技盤４１の前面との間の寸法が規定寸法に確保されるという利点がある。図１では、盤前側受止部１０における盤収容部７の左側面から右側への突出寸法Ｈ１は従来と同じに形成されており、盤押圧突起３２が左上隅部５５の前面に接触する位置が盤収容部７の左側面から右側に離れる寸法Ｈ２は、突出寸法Ｈ１よりも大きくなっている。つまり、盤押圧突起３２が左上隅部５５の前面に接触する位置は、突出寸法Ｈ１よりも右側に設定されている。つまり、図１に示すように、盤押圧突起３２が設けられたことによって、盤前側受止部１０における盤収容部７の左側面から右側への突出寸法Ｈ１が従来と同じに形成され、遊技盤４１の左側部を遊技機枠１の前側から盤後側押出部９と盤前側受止部１０との間に挿入する作業を従来同様にやり易いように維持することができる。盤押圧突起３２がフレーム２９に設けられてもよいが、最良の形態のように、盤押圧突起３２がヒンジブラケット３３に設けられていれば、盤押圧突起３２が遊技盤４１の左上隅部５５を前側から後側に押す場合の剛性が強くなるので、盤押圧突起３２が後側から前側に変形することがなく、盤押圧突起３２が遊技盤４１の左上隅部５５を前側から後側に適切に押すことができるという利点がある。
【図面の簡単な説明】
【００１７】
【図１】遊技機枠の左上部を左右方向に切断した断面図（最良の形態）。
【図２】遊技機枠および遊技盤の分解斜視図（最良の形態）。
【図３】遊技機枠の斜視図（最良の形態）。
【図４】パネル構造体の斜視図（最良の形態）。
【符号の説明】
【００１８】
１    遊技機枠
３    可動枠
４    前扉
２６  パネル構造体
２８  ヒンジ
２９  フレーム
３２  盤押圧突起
３３  ヒンジブラケット
４５  球発射通路
５５  左上隅部
【図１】
0004771792.tif 000002
【図２】
0004771792.tif 000003
【図３】
0004771792.tif 000004
【図４】
0004771792.tif 000005